(57)【要約】【課題】高齢者や、乳幼児等の使用者が、一人で着脱することが容易であって、使用者の首周りに合わせて調整が容易であるエプロンを提供すること。【解決手段】使用者の頭部を挿通する為の装着部１１と、使用者を汚れから防止するためのエプロン本体部１３と、前記装着部１１から前記エプロン本体部１３に設けられて長く延びる切り込み部１７と、前記切り込み部１７を開閉可能に覆い、前記装着部１１の大きさを調節可能に係止する着脱部１６を有する覆い部１４と、を有するエプロン１０。【選択図】図１
2008121137.tif 000002
【特許請求の範囲】
【請求項１】
装着状態で使用者の前面の所定範囲を覆うエプロン本体部と、
該エプロン本体部に設けた開口部であって、エプロンを装着するために使用者の頭部を挿通することができる装着部と、
前記開口部から外方に向かって長く延びるように、前記エプロン本体部に形成された切り込み部と
を有し、
前記切り込み部を挟んで、前記エプロン本体部の少なくとも一方側に、一端が固定され、他端が、前記切り込み部を超えて、前記エプロン本体部の他方側に対して着脱される係止部を有することにより、前記切り込み部を開閉可能に覆う構成とした所定面積の覆い部と
を備えることを特徴とするエプロン。
【請求項２】
前記切り込み部が、装着状態において前記使用者の前面を左右に縦方向に二分する仮想の中心線から次第に離間しつつ延びる、切り込みもしくはスリットを有しており、かつ前記覆い部は前記固定される一端が、前記エプロン本体部の前記切り込み部に対する上側に位置する切離端面に沿って固定されており、かつ前記覆い部の他端の前記係止部は、前記切り込み部を超えたエプロン本体部の前記開口部の周縁に沿って、所定範囲で着脱される構成としたことを特徴とする請求項１に記載のエプロン。
【請求項３】
前記エプロン本体は撥水もしくは防水材料で形成されており、前記切り込み部の基端部が、装着状態において前記使用者の前面を左右に縦方向に二分する仮想の中心線よりも左右いずれかに離れた箇所にあり、前記エプロン本体部の裏面には、前記基端部の位置から前記開口部の周縁に沿って、前記装着部に対応した領域に、液体の吸収部を設けたことを特徴とする請求項１または請求項２に記載のエプロン。
【発明の詳細な説明】
【技術分野】
【０００１】
本発明は、乳幼児や高齢者等の使用者が食事をする際に、使用者等の衣服等の汚れを防止するためのエプロンに関するものである。
【背景技術】
【０００２】
従来、使用者、例えば乳幼児や介護が必要になり始めた高齢者などが食事をする際に、口から食物がこぼれて、着衣を汚すことがある。そのため、このような乳幼児や高齢者などの使用者が食事をする際には、食事用のエプロン等を装着させることがある。
このような使用者等が食事の際に使用するエプロンは、食べこぼし防止用エプロンとして知られている。この種の食べこぼし防止用エプロンとしては、エプロンの下端部にポケットを形成し、このポケットの中に食べこぼした食物や液状物を収める形式のものや、エプロンの下端部を大きく形成して食卓上に配置し、食器を載置できる、所謂テーブルクロスとしての機能を兼ね備える形式のもの等が知られている。（特許文献１、図２参照）
【０００３】
また、外出先での食事に際し、この種の従来からの大きなサイズとされた食べこぼし防止用エプロンでは、嵩張ってしまい持ち運びが不便である。
そこで、この種の従来の食べこぼし防止用エプロンに代えて、使用者以外の周囲の人の目からエプロンとわかりにくいようなものとして、スカーフタイプのものが提案されてきている（特許文献２）。
【０００４】
ところで、これらのエプロンはいずれも、使用者の身体の後ろや首周りの後ろで固定手段により固定し、装着して使用するものである。
しかし、使用者等が高齢であったり、身体に障害があるため肩が回らない場合や、幼児などの場合は、手の機能に支障があったり、未熟である場合がある。このような場合に、使用者が自力で装着することが困難であるなどの問題があった。
【０００５】
そこで、この改善策として、首周り等をゴム等の伸縮材により設けて、固定手段によらず装着できるものが提案されている（特許文献３、特許文献４）。
この構成によれば、使用者等がエプロンを装着するに際し、首周り等に設けられた伸縮材を伸ばして頭を挿通させて、着用する構造としている。
【特許文献１】特開２００５―０２３４７６号公報（図２参照）
【特許文献２】意匠登録第１２２０３６２号公報
【特許文献３】実用新案登録第３１２４３００号公報（図１、図７参照）
【特許文献４】実用新案登録第３０６４０９４号公報（図１、図３参照）
【発明の開示】
【発明が解決しようとする課題】
【０００６】
しかしながら、上述の方法では、装着する際に伸縮材を伸ばして、首周りを拡げて頭を挿通しなければならない。そのため、使用者等の手の力が弱い場合などは、上手く伸ばすことができず、装着しにくいという問題がある。
また、装着し易いように、予め使用者の頭周りの大きさを考慮して、エプロンの首周り部の大きさをある程度確保しておく方法も考えられる。しかし、使用者等が幼児の場合は特に、体の大きさに比して、頭周りのサイズが大きく、高齢者であっても伸縮材だけでは、装着した際に首の周りに大きな隙間をつくらずにフィットさせることが困難であった。
【０００７】
そこで、本発明は、高齢者や、乳幼児等の使用者等が、一人で着脱することが容易であって、使用者の首周りに合わせて調整が容易であるエプロンを提供することを目的とする。
【課題を解決するための手段】
【０００８】
すなわち、上記課題を解決するため、第１の発明にあっては、装着状態で使用者の前面の所定範囲を覆うエプロン本体部と、該エプロン本体部に設けた開口部であって、エプロンを装着するために使用者の頭部を挿通することができる装着部と、前記開口部から外方に向かって長く延びるように、前記エプロン本体部に形成された切り込み部とを有し、前記切り込み部を挟んで、前記エプロン本体部の少なくとも一方側に、一端が固定され、他端が、前記切り込み部を超えて、前記エプロン本体部の他方側に対して着脱される係止部を有することにより、前記切り込み部を開閉可能に覆う構成とした所定面積の覆い部とを備えるエプロンにより、達成される。
【０００９】
第１の発明の上記構成によれば、エプロン本体部が使用者の前面の所定範囲を覆うことで、食事の際などにおいて、その下の着衣などに食べこぼしなどの汚れがつかないようにすることができる。
このエプロン本体部には開口部が形成されている。開口部は丸孔や楕円の孔など、使用者の頭を挿通することができるものであり、使用者の頭が挿通されることで、首周り周囲において装着部として機能する。
また、前記開口部を基端として、該開口部よりも外方に向かう切り込みが前記エプロン本体部に形成されて、「切り込み部」とされている。この切り込み部の切り込みが開くことで、前記した使用者の頭を挿通させる際、すなわち、エプロンの装着の際に前記開口部の開口径を実質的に拡げることができ、比較的手の動きが不自由であったり、手の力が弱い使用者、手の動きが未発達な使用者であっても、容易に装着することができる。
さらに、この切り込み部に関連して前記覆い部が設けられている。覆い部は、所定面積のフラップ状のものであり、「前記エプロン本体部の少なくとも一方側に、一端が固定され、他端が、前記切り込み部を超えて、前記エプロン本体部の他方側に対して着脱される係止部を有する」構成である。このため、前記係止部をエプロン本体の他方側に係止した際には、前記切り込み部を実質的に覆い、かつ切り込み部が開かないようにすることができる。
これにより、食事の際の食べこぼし等は、前記エプロン本体だけでなく、この覆い部で受けることができ、切り込み部の隙間から着衣を汚すことがない。
食事後は、係止部の簡単な係止解除により、切り込み部を拡げ、前記と逆に使用者の頭部を抜き去ることで、エプロンを脱ぐことができる。
【００１０】
第２の発明は、第１の発明の構成において、前記切り込み部が、装着状態において前記使用者の前面を左右に縦方向に二分する仮想の中心線から次第に離間しつつ延びる、切り込みもしくはスリットを有しており、かつ前記覆い部は前記固定される一端が、前記エプロン本体部の前記切り込み部に対する上側に位置する切離端面に沿って固定されており、かつ前記覆い部の他端の前記係止部は、前記切り込み部を超えたエプロン本体部の前記開口部の周縁に沿って、所定範囲で着脱される構成としたことを特徴とする。
第２の発明の構成によれば、前記切り込み部は、使用者の前面を左右に縦方向二分する仮想の中心線から次第に離間しつつ延びる、切り込みもしくはスリットを有している。つまり、切り込み部は、使用者の前面の中心に位置するのではなく、首周りの領域から例えば斜めに（左方または右方に）延びている。このため、食事中に最も食べこぼし等が落下しやすい領域をさけて、前記切り込みもしくはスリットが設けられることになり、その分着衣などを汚損しにくい。
さらに、前記覆い部の他端の前記係止部は、前記切り込み部を超えたエプロン本体部の前記開口部の周縁に沿って、所定範囲で着脱される構成としたので、係止位置を所定範囲で変更することにより、装着状態における前記開口部の開口径を実質的に変更することで、使用者の首周りのサイズの相違や、装着感の向上のための調整に利用できる。
【００１１】
第３の発明は、第１または第２の発明の構成において、前記エプロン本体は撥水もしくは防水材料で形成されており、前記切り込み部の基端部が、装着状態において前記使用者の前面を左右に縦方向に二分する仮想の中心線よりも左右いずれかに離れた箇所にあり、前記エプロン本体部の裏面には、前記基端部の位置から前記開口部の周縁に沿って、前記装着部に対応した領域に、液体の吸収部を設けたことを特徴とする。
第３の発明の構成によれば、エプロン本体部が液体成分を通すことが無いので、食事中の食べこぼしをエプロン本体部で受けた場合に、該エプロン本体部を染み通って、着衣などを汚損することがない。
しかも切り込み部の基端部が、前記仮想の中心線よりも左右いずれかに離れた箇所にあることから、その先端側は前記仮想の中心線から離間する方向に延びることで、該切込み部を構成する切込みもしくはスリットが身体の前面の中心から十分に離れた位置にされている。そして、エプロン本体部の裏面の前記基端部の位置から前記開口部の周縁に沿って、前記装着部に対応した領域に吸収部を形成しているので、万一、前記開口部から回り込んだ液体があったとしても、該吸収部で吸収されて着衣などの汚損が一層効果的に防止される。
【発明の効果】
【００１２】
本発明のエプロンによれば、食事の際のエプロンの装着に際し、高齢者や、乳幼児等の使用者等が、一人で着脱することが容易であって、その使用者の首周りに合わせて調整が容易であり、使用者の自立支援を促すことができる。
【発明を実施するための最良の形態】
【００１３】
以下、本発明の好適な実施例を添付図面に基づいて詳細に説明する。尚、以下に述べる実施例は本発明の好適な具体例であるから、技術的に好ましい種々の限定が付されているが、本発明の範囲は、以下の説明において特に本発明を限定する旨の記載がない限りこれらに限られるものではない。
【００１４】
図１は、本発明のエプロン１０の好ましい実施の形態を示す概略正面図である。
正面側とは、使用者が装着した際に、表側となる非肌当接面側であり、つまり、飲食した際の食べ物や汁物等を主に受け止める側である。
図１に示すように、エプロン１０は所定の面積の布地などでなるエプロン本体部１３を有している。エプロン本体部１３には、使用者が装着するに際し、使用者の頭を挿通するための装着部である開口部１１を有している。本実施の形態におけるエプロン本体部１３は、下側にいくに従って先端が細くなるような略三角形状とされた、所謂スカーフタイプとされており、使用者にとって違和感がない形態とされている。
なお、このようなスカーフタイプではなく、四角形状や、下側を直線状として食品を受けるためのポケットを設けた構成、エプロン本体部を長く形成してランチョンマット状にテーブルに装着できる構成として、よりこぼれづらい構成としたものでもよい。
【００１５】
エプロン本体部１３は、後述するように装着されることで、使用者の身体の前面の必要とされる範囲を覆うことができ、食事中の食べこぼしが着衣を汚損しないようにするためのものである。エプロン本体部１３は、使用者が開口部１１に頭を挿通して、エプロンを装着した際に、使用者の肩方向にやや拡がって配置される部分と、そして開口部１１から使用者の身体の正面部に拡がって配置される部分を有するようになっている。
【００１６】
そして、開口部１１の一部には、例えば、使用者の首周りへのフィット感を高めるために、伸縮部１５が設けられている。伸縮部１５は、例えば、使用者が装着した際に、使用者の首の後ろ側に配置される。
伸縮部１５の表面は、使用者の装着の際の着け心地を考慮して、肌触りの柔らかい材質や、汗などが吸収できるような吸収性の良い材質で覆って縫合したものが好ましく、例えば綿パイルや、スムース、フライス、天竺、リブ素材などにより形成することができる。
【００１７】
そして、該伸縮部１５は、伸縮性を更に高めるために、例えば、天然ゴムや合成ゴム、ポリウレタン等の弾性体で形成されている伸縮自在なテープ状部材を、綿パイル等の表面材で挟み込んで覆って縫合しているものが好ましく、この時、表面材を肌側となる下側で折り込んで上側で縫合して、テープ状部材を一体化することで、肌当接側を折り返し部として、首への当接を柔らかな感触としている。
なお、この伸縮部１５を設けずに、後述する着脱部１６によって、首周りへのフィット感を調整するようにもできる。
【００１８】
エプロン本体部１３は、使用者の衣服が汚れるのを防止する保護部とされることから、防水材料もしくは撥水材料で形成することが好ましい。特に、吸水性と速乾性を兼ね備え、軽いものが好ましく、具体的な材質としては、ポリエステルやナイロン、綿ポリノジック、レーヨン等の生地に、防水または撥水加工を施した生地や防水フィルム層をラミネートした生地等を使用でき、本実施の形態では、ポリエステルやナイロン等の繊維を用いたニット生地の裏面に、フィルム状の防水ポリウレタン膜をラミネートした生地を使用している。
使用者がエプロン１０を使用した際に、水分等の多いものを飲食して、食べこぼした場合でも、エプロン本体部１３の材質の吸水性がよければ、それらの食べ溢した飲食物等の水分等をエプロン本体部１３で吸水して受け止めることができる。また、速乾性がよければ、飲食後にエプロン１０を脱着して、使用者等が持ち運ぶ際に便利である。
また、エプロン１０の汚損がひどい場合に、洗濯しても、エプロン本体部１３の材質に乾燥性の良好な材質等を用いていれば、エプロン１０の乾燥が速い。従って、使用者が次の食事の際に直ぐ、エプロン１０を使用することができる。
そして、エプロン本体部１３に使用される材質には、撥水等による防汚加工が施されていると、さらに好ましい。エプロン本体部１３に使用される材質に防汚加工が施されていると、汚れが付着しにくく、また、汚れが付着しても容易に取り去ることができ、便利である。
【００１９】
また、エプロン本体部１３の材質は、上述したように表側と裏側で異なる機能を兼ね備えるものとすることもできる。
表側とは、使用者がエプロン１０を装着した際に、飲食物等を主に受け止める側、外側または表面であり、そして、裏側とは、使用者が装着した際の使用者側、内側または背面である。
図３を参照する。図３は、図２のＡ−Ａ線一部概略拡大断面図であり、図において表側１３ａを吸水性の良い材料で形成し、裏側１３ｂを防水性の良い材料とする。これにより、表側１３ａでは、上述したように水分等を受け止めやすく、裏側１３ｂでは、その水分の滲入を防止して、使用者の衣服への汚損を防止できる。
【００２０】
図２は、本発明のエプロン１０の好ましい実施の形態を示す概略背面図である。
背面とは、裏側であり、すなわち使用者がエプロン１０を装着した際の使用者側であり、使用者の身体と対面する側、使用者がエプロンを装着した際の使用者の身体と接する側であり、内側である。
そして、このエプロン１０の背面には、エプロン本体部１３の一部に吸収部としての吸収層１２を設けている。
この吸収層１２は、後述する切り込み部１７から開口部１１の開口周縁に沿うように設けられ、伸縮部１５が形成されている部分まで設けられている。
この吸収層１２は、エプロン本体部１３の裏面の全面に設けていてもよいが、エプロン本体部１３の裏面の少なくとも開口部１１の近傍に設けられていればよい。
【００２１】
また、吸収層１２はエプロン本体部１３と一体に設けてもよく、別体としてもよい。例えば、吸収層１２は、切り込み部１７と開口部１１に沿うようにエプロン１０の裏面に固定されていれば良く、吸収層１２の全面が固定されている必要は無い。少なくとも、開口部１１の開口周縁に沿うように固定されていれば良い。
固定の方法としては、開口部１１の口縁部１１ａに帯状の固定テープなどで貼り付けても良いし、熱接着しても良く、好ましくは縫合により固定する方法である。
本実施の形態では、吸収層１２は開口部１１の上縁に沿って縫合されており、吸収層１２の下側は縫合されていない自由端とされている。このように吸収層１２の下側を自由端とすることで、吸収層１２が身体に当接するよう移動できるだけでなく、最も食品が当接し易い中央部に縫い目を設けないようにして、縫い目からのしみ込みを防ぎ、洗濯時におけるエプロン本体部１３との収縮の違いに伴う縮みを防いでいる。
しかも、吸収層１２が開口部１１の上縁に沿って切り込み部１７の位置まで縫合されることで、開口部１１における切り込み部１７までの剛性を高めて、所謂コシを持たせ、装着時に切り込み部１７近傍の開口部１１がめくれづらい構成とされている。
そして、この吸収層１２は、使用者が飲食等した際に、汁物等の水分が使用者の口元から顎を伝わり、首周りの開口部１１から使用者の身体側、エプロン１０の背面、つまりは、エプロン１０の内側、に万一入り込んでしまった際に、エプロン本体部１３の一部に設けられている吸収層１２が、この開口部１１から内側に入り込んできた水分等を受け止めることができる。そのため、使用者等に安心感を与え、使用者等は自ら食事等の飲食行為を行うことができる。
【００２２】
吸収層１２は、エプロン１０を使用者が装着した際に、使用者側に配置される。その為、吸収層１２の材質としては、使用者に柔らかい感触を与えたり、肌触り等が良いことや、吸収性が良いことなどを考慮して適宜選択される。
従って、例えば、綿パイルやスムース、フライス、天竺、リブ素材などが好ましい。
【００２３】
切り込み部１７は、開口部１１からその外方に向かって長く延びるように、エプロン本体部１３に形成された切り込み、もしくはスリット等により形成されるものであり、後述するように、開口部１１の開口径を調整するものである。
また、この切り込み部１７は、図１の概略正面図で理解されるように、覆い部１４により、開閉可能に覆われている。
【００２４】
この実施形態によれば、切り込み部１７を形成する切り込みもしくはスリットは、その基端部を開口部１１の位置とし、図４に示すように、使用者の身体の前面を左右に二分するように、縦方向に通る仮想の中心線ＣＬから離間する方向に所定長さ延びている。切り込み部１７の先端が達する位置は極端に長くない方が好ましい。すなわち、切り込み部１７の全長は、後述する開口部１１の開口径の拡大に必要とされる程度の長さとする。
特に、好ましくは、切り込み部１７の基端部は、上記仮想の中心線ＣＬに関して、左右いずれかに離れた箇所とされる。
【００２５】
覆い部１４は、エプロン本体部１３の表側に設けられた所定面積のフラップ状の布地である。
この覆い部１４は、エプロン本体部１３の少なくとも一方側に、一端が固定され、他端が、前記切り込み部を超えて、前記エプロン本体部の他方側に対して着脱される係止部を有するものである。
すなわち、覆い部１４は、切り込み部１７の長さ方向に沿うような固定端である一端部１４ａと一端部１４ａの逆側の端部であって、切り込み部１７の逆側に配置可能な自由端である他方の端部１４ｂとを有している。
【００２６】
この実施形態では、図４に示すように、覆い部１４は、その一端部１４ａが、エプロン本体部１３の切り込み部１７に関して、上側の切離端面１７ａに沿って固定されており、かつ覆い部１４の内面の略全面に設けた面ファスナーである係止部１６ｂが、切り込み部１７の逆側となるエプロン本体部１３の開口部１１の周縁に沿って設けた面ファスナー１６ａに着脱されるようになっている。
本実施の形態では、面ファスナーである係止部１６ｂは雌部材とされ、雄部材とされた面ファスナー１６ａとによって、覆い部１４の着脱部１６を構成している。
覆い部１４を図４の状態から、閉じるようにして、その係止手段である係止部１６ｂを面ファスナー１６ａに係止することにより、切り込み部１７に沿って開くことを防止することができる。また、これにより、食事の際の食べこぼし等は、エプロン本体１３だけでなく、この覆い部１４で受けることができ、切り込み部１７の隙間から着衣を汚すことがない。
食事後は、面ファスナーである係止部１６ｂの簡単な係止解除により、切り込み部１７を拡げ、後述するように、使用者の頭部を抜き去ることで、エプロンを脱ぐことができる。
【００２７】
また、覆い部１４は、エプロン本体部１３と同様な材質や色の素材で形成することができるが、別の材質や色の素材で形成してもよい。
本実施の形態では、図３に示すように、覆い部１４は、エプロン本体部１３と同様に、面ファスナーである係止部１６ｂ側の裏側１４ｄを防水性を有する層として、その外側となる表側１４ｃに吸収性の良い層を積層している。
【００２８】
着脱部１６を構成する面ファスナー１６ａと面ファスナーである係止部１６ｂの大きさ等は、覆い部１４が係止できる程度にもうけられていればよく、例えば、覆い部１４の裏側全体に、このような面ファスナーを設けても良く、覆い部１４の開口部１１に近いほう、つまり覆い部１４の上方のみに設けても良い。
【００２９】
そして、面ファスナー１６ａ又は面ファスナーである係止部１６ｂのどちらか一方の大きさを大きめにしておく、つまり、面ファスナー１６ａ又は面ファスナーである係止部１６ｂの一方を、切り込み部１７に直行する方向に長くなるよう形成することで、例えば、図５で示すように、この面ファスナー１６ａ又は面ファスナーである係止部１６ｂの合わせ位置により、開口部１１の大きさを簡単に調整できる。
すなわち、図４で説明した面ファスナー１６ａと面ファスナーである係止部１６ｂの少なくとも一方について、図５の矢印Ｗで示す方向に長い寸法を有しておくと好ましい。
これにより、図５で示すように、覆い部１４を開口部１１の近傍で係止する際に、Ｗ方向で移動させることができる。つまり、Ｗ１の向き、つまり覆い部１４の裏側の面ファスナーである係止部１６ｂをエプロンの中心線に近接する方向で係止すると、開口部１１の開口径は狭くなり、また、逆にＷ２の向き、つまり覆い部１４の裏側の面ファスナーである係止部１６ｂをエプロンの中心線と離間する位置で係止すると、開口部１１の開口径は拡がる。
従って、使用者が装着の際に、使用者の首の大きさに合わせて、自分で簡単に、調節することも可能である。
なお、本実施の形態においては、着脱部を面ファスナーとしているが、ホックやフック等の他の着脱可能な係止手段を採用してもよく、この場合、一方の係止手段を並列に複数個所形成することで、首周りに応じてサイズ調整を選択的に行なえるようにすればよい。
【００３０】
本実施の形態におけるエプロン１０は、以上のように構成されており、装着する際には、図４で示すように、使用者はエプロン１０の切り込み部１７を拡げる為、着脱部１６の面ファスナー１６ａと面ファスナーである係止部１６ｂを外し、一端部１４ａを中心に回動させるように覆い部１４を開き、切り込み部１７を露出させる。
次に、使用者は、エプロン１０の開口部１１から、エプロン１０の裏面側から表側に両手を通し、開口部１１及び切り込み部１７を大きく拡げて、開口部１１に両手を通したまま、開口部１１に使用者の頭部を入れる。次に、使用者は、開口部１１から使用者の頭を半分程度出した状態で、エプロン本体部１３を片手、あるいは両手で下方向、つまり、頭を開口部１１に挿通させる方向に引張り、裏側から表側に頭を挿通させて、開口部１１を首周りに位置させる。
そして、開いていた覆い部１４を片手あるいは両手で、首の太さに合うように位置を調整しながら、覆い部１４の裏面側に設けられている面ファスナーである係止部１６ｂと、開口部１１の近傍のエプロン本体部１３の表側に設けられた面ファスナー１６ａとを係止さて、該覆い部１４を閉じて、切り込み部１７を覆う。
なお、例えば、片手しか使用できない使用者の場合、あらかじめ覆い部１４を開いた状態にして、頭に開口部１１を被せてから、エプロン本体部１３を下方に引っ張ることで、伸縮部１５が伸びることで、開口部１１を首周りまで配置し、覆い部１４の着脱部１６を係合させることで、片手でも容易に装着できる。また、幼児等の操作が未熟な使用者の場合も、細かな調整を行なわなくとも、同様の方法で着用することができる。
【００３１】
このようにして、使用者が、自分自身でエプロン１０を簡単に装着することができる。
このエプロン１０は、装着に際して使用者の身体の前面側に配置されるエプロン１０の装着部である開口部１１の開口径を調節可能に係止する着脱部１６が設けられており、また、開口部１１に使用者が頭を挿通して装着（着脱ともいう）できる。
このように、開口部１１に頭部を挿通するだけで、エプロン１０を装着できるので、装着が容易である。また、装着に際しては、切り込み部１７の機能により開口部１１の開口径を拡大させて頭部を通せるので、身体の大きさに比べて頭部が大きい場合でも、容易に着用することができる。
このように、使用者が高齢者や幼児で、手の動きに障害があるか未発達である場合でも、大きく手を動かす必要がなく、調整するための難しい動作が不要であるから、１人でエプロン１０の装着が可能である。従って、使用者の自立支援に役立つことができる。
【００３２】
本発明は、上述の実施形態の記載に限定されない。上述の実施形態における構成は、必要により、その一部を省略したり、他の任意の構成と入れ換えて、異なる構成の組み合わせのもとで実施されてもよく、例えば、数回の使用に耐えられる程度の使い捨てエプロンとするために、エプロン本体部１３や覆い部１４をポリエチレン等の樹脂性フィルムや、不織布、紙等で形成して、そして、着脱部１６を覆い部１４の内面だけに設けたホットメルト等の接着層によって形成し、切り込み部１７の反対側に位置するエプロン本体部１３に覆い部１４が取り付けられるように構成しても良い。
また、覆い部１４を開いた状態で、開口部１１が使用者の頭部を通せる程度に、切り込み部１７の上端を連結するように所定の長さとされた伸縮テープや紐で構成し、使用者がエプロンを装着時に、覆い部１４の内側に位置するエプロン本体部１３が位置ずれしづらいよう構成しても良い。さらに、切り込み部１７や対応する覆い部１４が、使用者の肩部に位置して、横方向に延びるよう配置される構成としても良い。
【００３３】
本発明は、高齢者や幼児等の要介助者等やあるいは、身体の機能に障害がある使用者や、被服の汚れを気にする使用者などが、食事をする際に、周囲の環境を気にすることなく、使用者等の衣服等の汚れを防止するためのエプロンやその他汚れ防止するためのものに利用できる。
【図面の簡単な説明】
【００３４】
【図１】本発明のエプロンの好ましい実施の形態を示す概略正面図である。
【図２】本発明のエプロンの好ましい実施の形態を示す概略背面図である。
【図３】本発明のエプロンのＡ−Ａ線一部概略拡大断面図である。
【図４】本発明のエプロンの好ましい実施の形態を示す概略一部正面図である。
【図５】本発明のエプロンの好ましい実施の形態を示す概略一部正面図である。
【符号の説明】
【００３５】
１０・・・エプロン、１１・・・開口部、１１ａ・・・口縁部、１２・・・吸収層、１３・・・エプロン本体部、１４・・・覆い部、１４ａ、１４ｂ・・・端部、１５・・・伸縮部、１６・・・着脱部、１６ａ・・・面ファスナー、１６ｂ・・・係止部、１７・・・切込み部、１７ａ・・・（切り込み部の）切離端面
【図１】
2008121137.tif 000003
【図２】
2008121137.tif 000004
【図３】
2008121137.tif 000005
【図４】
2008121137.tif 000006
【図５】
2008121137.tif 000007